(57)【要約】【課題】  スロット遊技機用のコインを収容するコインケースであって、多くのコインをほば起立状態で簡単に収容することのできるコインケースを提供すること。【解決手段】  コインを収容するコインケース本体の底面に、コインの高さよりも低い複数の凸筋をコインの直径よりも小さい幅で並列に設けることにより、該凸筋の間隔部にコインが入り込む溝を形成した。凸筋の高さは、収容するコインの直径の１／２以下であるのが好ましく、１／３〜１／２とするのがより好ましい。【選択図】      図１
2006296957.tif 000002
【特許請求の範囲】
【請求項１】
コインを収容するコインケースの底面に、コインの高さよりも低い複数の凸筋がコインの直径よりも小さい幅で並列に設けられていることを特徴とするコインケース。
【請求項２】
凸筋の高さが、収容するコインの直径の１／２以下である請求項１に記載のコインケース。
【発明の詳細な説明】
【技術分野】
【０００１】
本発明は、スロット遊技機用のコインを収容するコインケースに関するものである。
【背景技術】
【０００２】
スロット遊技場では、コインを収容する容器として、プラスチック製の収容箱が使用されている。従来広く使用されているコイン収容箱は、概略長方形の箱であり、左右両側に把手が設けられていて、底面は平面となっている。この収容箱には、投入された多数のコインがランダムに重なり合った状態で収容される。
【０００３】
上記従来のコイン収容箱は、コインをランダムに重なり合った状態で収容するものであるから、コインケースに山盛り状態に収容しようとすると、コインが周囲にこぼれ落ちるという問題点があり、コインケースの上縁のレベルよりも多くのコインを入れることができなかった。このため、大量のコインを入れても見栄えがしないという問題点があった。また、コインがランダムに重なり合った状態で収容されるので、指でつかんで取り出すのに不便であった。
【０００４】
一方、コインを立てた状態で収容しようとするものとして、特許文献１、特許文献２に記載されているものが提案されている。
【０００５】
【特許文献１】特開２００１−２３１９１７号公報
【特許文献２】特開２００２−２２４２７３号公報
【０００６】
上記特許文献１に記載のものは、コイン収容箱の底面にコインを起立姿勢で横方向に重ねて収容する際にガイドとなるガイド凹部を形成したもので、コインは、そのガイド凹部に外周部を載せた状態で起立させて保持されるようになっている。また、特許文献２に記載のものは、立てたコインの下部外周に沿う断面形状を有する溝を底面に複数条並列に設けたもので、実施形態では、この溝がコインケースの長手方向に対し斜めに設けられている。
【発明の開示】
【発明が解決しようとする課題】
【０００７】
上記特許文献１及び特許文献２に記載のものは、コインケースの底面に、コインの外周に沿う断面円弧状の溝を設けたものであるから、この溝の内面に沿うようにコインを立てて収容することにより、整列状態でコインを収容することができるが、このためには、コインを手で持って倒れないように丁寧に溝に嵌め込んで行く必要があり、収納に手間がかかるので、遊技中の遊技者がコインを収容するには適していないと考えられる。そこで、本発明は、ランダムな姿勢でコインを投入しても、比較的簡単に多くのコインを起立状態で収容することのできるコインケースを提供することを課題としている。
【課題を解決するための手段】
【０００８】
上記課題を解決するため、本発明は次のような構成を採用した。すなわち、請求項１に記載の本発明に係るコインケースは、コインを収容するコインケースの底面に、コインの高さよりも低い複数の凸筋がコインの直径よりも小さい幅で並列に設けられていることを特徴としている。凸筋の高さは、収容するコインの直径の１／２以下であるのが好ましい。
【発明の効果】
【０００９】
請求項１に記載の本発明は、底面にコインの直径よりも狭い間隔で複数の凸筋が並列に設けられているので、その間隔部にはコインの直径よりも狭い溝が形成される。このため、コインをランダムな姿勢で投入しても、当該コインケースを前後に揺すると、コインが凸筋の間の溝内に嵌り込んで複数枚が溝幅いっぱいに重なり合った状態で起立させられる。このように、コインケースの最下部に起立したコインの層が形成されるので、その上に入れるコインは、下側のコイン列にならって順次手で並べ、起立させた状態で簡単に収容することができる。
【００１０】
本発明に係るコインケースは、内部に収容する多数のコインをほぼ起立状態で保持することができるので、十分な数量のコインを収容すると、コインケースからコインが盛り上がった状態で保持されることになり、見栄えがよく、手での取り出しにも便利である。なお、請求項２に記載のように、凸筋の高さをコインの直径の１／３〜１／２としておけば、凸筋の間の溝に嵌り込んだコインの上部が凸筋よりも十分上側に突出するので、その上に次のコインを並べるのが容易である。
【発明を実施するための最良の形態】
【００１１】
以下、図面に表された本発明の実施形態について説明する。このコインケース１は、従来品と同様なプラスチック材料で作られるもので、ケース本体２の左右端部に把手３，３が一体に成形されている。ケース本体２は概略角形の箱体であり、その底面４には複数の凸筋５，…が並列に設けられている。ケース本体２の内壁面６は、若干上に開く傾斜面として形成されているが垂直でもよい。
【００１２】
ケース本体２の凸筋５の高さｈと間隔ｗは、投入されたコインが起立状態で保持され、かつ保持されたコインの上部が凸筋よりも上に突出するような大きさとする。具体的には、この凸筋５の高さｈは好ましくは数ｍｍ乃至十数ｍｍであり、コインの直径の１／２以下とするのが好ましく、１／３〜１／２と程度とするのがより好ましい。高さｈが高過ぎると、コインが凸筋５よりも上側に突出しなくなるので、その上から投入されるコインが寝てしまうことになる。また、低過ぎると、凸筋５で起立状態に支えられず、コインが転倒してしまうので、いずれも好ましくない。例えば、コインの直径が２５ｍｍの場合は凸筋５の高さｈは８〜１２ｍｍとすればよい。
【００１３】
また、凸筋５，５の間隔に形成される溝７の幅ｗは、コインの直径未満であり、この間隔が大き過ぎるとコインの傾斜が大きくなり、直径以上の場合は、コインが寝てしまうので好ましくない。逆にこの間隔が小さ過ぎると、コインが入り込みにくくなり、コインが凸筋５，５の上に寝た状態となりやすいので好ましくない。通常は、この間隔は１０〜２０ｍｍ程度とすればよい。ケース本体２の内壁６面と凸筋５との間隔も同様である。さらに、凸筋５の幅ｄは、広過ぎると複数のコインがその上に載った状態となりやすく、小さ過ぎると強度的に欠けやすくなるので、数ｍｍ、例えば３〜５ｍｍ程度とするのが好ましい。なお、凸筋５の両面は、わずかに上が狭くなるような傾斜面（α）として形成しておくのが好ましく、凸筋５の上面のコーナー部には、指を入れたときに傷つかないように丸みＲをつけておくのが好ましい。
【００１４】
凸筋５は、ケース本体２の内部の一方の端から他方の端まで形成されていて、両端部はケース本体２の内壁面６に密着している。この凸筋５は、ケース本体の成形時に一体成形するのが好ましいが、このような凸筋のない平坦な底面を有する従来のコインケースを利用する場合は、このような凸筋５，…を形成した下敷きを作成し、これをコインケースの平坦な底面上に貼り付ければよい。図３は、この下敷き１０を例示するもので、コインケース本体の底面を覆う板体１１の上面側に所定間隔で複数の凸筋５，…が並列に形成されている。凸筋５の部分は、中空であってもよい。この下敷き１０を既存のコインケースの平坦な底面上に接着剤で貼り付ければ、既存のコインケースを本発明と同様な機能を有するコインケースとすることができる。
【００１５】
このコインケース１にコインを収容する場合は、まず適量のコインＣを任意の姿勢で投入し、把手３，３を両手で持って前後に揺り動かす。すると、内部に投入されたコインが凸筋５と凸筋５の間の溝７内に落ち込むが、溝７の幅、すなわち凸筋５，５の間隔ｗはコインの直径よりも小さいので、コインが内部で寝た状態とならず、図４（ａ）に示すように、複数のコインＣ，…が斜めに重なり合って起立した状態となる。このようにして、コインケースの底部に最下層のコインの列を形成することができる。
【００１６】
一方、溝７に嵌り込まなかったコインは、溝７内に嵌り込んだコインの上に乗ることになるが、この場合、図４（ｂ）に示すように、下側のコインの列にならって、手で起立状態としておく。それ以後は、投入するコインを手でつまんで下層のコインの列の上に立てた状態で載せて行く。下層のコインの列は、コインが立った状態となっているから、上側に立てて載せるのは比較的簡単である。このようにして、順次コインが起立状態で収容されるのである。なお、収容されたすべてのコインが必ずしも起立している必要はなく、大部分のものが起立状態となっていれば、それなりの効果は得られる。
【００１７】
以上に述べたように、ランダムな姿勢で投入した最下層のコインが、コインケースを揺することによりおおむね起立状態で収容されることになるので、その上に順次コインを載せて行くことにより、コインケースの上縁部よりも高く、山盛り状態で見栄えよく収容することも可能となる。収容されたコインは、ほぼ起立状態となっているので、適量を手でつかんで取り出すのも簡単である。
【産業上の利用可能性】
【００１８】
本発明に係るコインケースは、合成樹脂等を材料として工業生産的に製造できるものであり、パチンコ店等の遊技場で、スロット遊技機用のコインを収容するために使用するに適したものである。
【図面の簡単な説明】
【００１９】
【図１】コインケースの平面図（ａ）と正面図（ｂ）である。
【図２】Ａ−Ａ断面図である。
【図３】従来のコインケース用下敷きの平面図（ａ）及び断面図（ｂ）である。
【図４】コイン投入状態の説明図である。
【符号の説明】
【００２０】
１        コインケース
２        ケース本体
３        把手
４        底面
５        凸筋
６        内壁面
１０        下敷き
１１        板体
【図１】
2006296957.tif 000003
【図２】
2006296957.tif 000004
【図３】
2006296957.tif 000005
【図４】
2006296957.tif 000006